(57)【要約】【課題】漏水をより確実に防止可能な給水接続部材を提供する。【解決手段】給水接続部材１は、壁部９１の開口９２に対して封止固定されるものである。この給水接続部材１は、給水管１０と、給水管１０を同軸状態で収納しつつ延びる筒状をなし、開口９２より大きく拡がるフランジ２１をもつ外筒管２０と、内筒部１１の外周側に設けられ、フランジ２１に押圧されて開口９２周りの壁部９２と当接するパッキン３０と、給水管１０と外筒管２０とを固定するとともに、フランジ２１を壁部９１側に押圧する固定手段４０とを備えている。また、この給水接続部材１は、給水管１０と外筒管２０との間にあって、両者を封止する封止手段５０を備えている。【選択図】図４
2008144454.tif 000002
【特許請求の範囲】
【請求項１】
壁部に形成された開口に対し、該壁部の一方から装着されて封止固定される給水接続部材であって、
軸方向に延びて前記開口内に挿入され得る筒状をなし、先端側が該開口内に位置し得る内筒部と、該内筒部より先端側で該開口より大きく拡がる係止部とをもつ給水管と、
該給水管を同軸状態で収納しつつ延びる筒状をなし、該開口より大きく拡がるフランジをもつ外筒管と、
該内筒部の外周側に設けられ、該フランジに押圧されて該開口周りの前記壁部と当接するパッキンと、
該給水管と該外筒管とを固定するとともに、該フランジを該壁部側に押圧する固定手段とを備え、
前記給水管と前記外筒管との間には両者を封止する封止手段が備えられていることを特徴とする給水接続部材。
【請求項２】
前記パッキンは、前記内筒部の外周面に当接しない請求項１記載の給水接続部材。
【請求項３】
前記封止手段は、前記外筒管の内周面に凹設されたシール溝と、該シール溝に嵌合されて前記給水管の外周面と当接するＯリングとからなる請求項１又は２記載の給水接続部材。
【請求項４】
前記封止手段は、前記給水管の外周面に凹設されたシール溝と、該シール溝に嵌合されて前記外筒管の内周面と当接するＯリングとからなる請求項１又は２記載の給水接続部材。
【請求項５】
前記内筒部は、前記係止部に隣接し、外径が細い小径部と、該小径部の後方で該小径部より外径が太い大径部とを有し、該大径部に前記シール溝が形成されている請求項４記載の給水接続部材。
【請求項６】
前記給水管の後端側の内周面は、工具が係合可能な回り止め形状とされている請求項１乃至５のいずれか１項記載の給水接続部材。
【請求項７】
前記外筒管の内周面後端には、該外筒管が前記給水管に対して逆向きに外挿される場合に、該給水管と干渉する突部が形成されている請求項１乃至６のいずれか１項記載の給水接続部材。
【請求項８】
前記外筒管は、前記フランジより先端側で前記開口内に嵌合される嵌合部を有している請求項１乃至７のいずれか１項記載の給水接続部材。
【請求項９】
前記パッキンは前記嵌合部から抜け止めされている請求項８記載の給水接続部材。
【請求項１０】
前記固定手段は、前記給水管の後端側に形成された雄ネジと、該雄ネジに螺合する雌ネジが内周面に形成されたナットとからなる請求項１乃至９のいずれか１項記載の給水接続部材。
【発明の詳細な説明】
【技術分野】
【０００１】
本発明は給水接続部材に関する。
【背景技術】
【０００２】
特許文献１に従来の給水接続部材が開示されている。この給水接続部材は、壁部に形成された開口に対し、壁部の一方から装着されて封止固定されるものであって、給水管と、スリップワッシャと、パッキンと、固定手段とを備えている。
【０００３】
給水管は、軸方向に延びて開口内に挿入され得る筒状をなす内筒部と、内筒部より先端側で開口より大きく拡がる係止部とをもつ。係止部は軸方向に直交する面内において互いに遠ざかる方向に延びる２片であり、両係止部で形成される略矩形は、長辺が開口より長く、短辺が開口より短くされている。
【０００４】
スリップワッシャは、給水管に同軸状態で外挿される円環形状をなし、開口より大きく拡がるフランジをもつ。フランジの先端側にはテーパ状の内周面が形成されている。
【０００５】
パッキンは、１個の環状をなす弾性体であり、内筒部の外周側に設けられるものである。パッキンは、スリップワッシャのテーパ状の内周面に当接するテーパ面を有している。
【０００６】
固定手段は、給水管とスリップワッシャとを固定するとともに、フランジを壁部側に押圧するものである。より詳しくは、固定手段は、給水管の後端側の外周面に形成された雄ネジと、その雄ネジに螺合する雌ネジが内周面に形成されたナットとからなっている。
【０００７】
このような構成である従来の給水接続部材は、下記のようにして、壁部に形成された開口に対して封止固定される。
【０００８】
まず、給水管を傾けた状態で、一方の係止部を壁部の一方から開口に挿入することにより、他方の係止部を壁部の他方に通過させ、壁部に係止する。これにより、給水管は、内筒部の先端側が開口内に位置し、後端側が壁部の一方に延在する。
【０００９】
次に、パッキンを給水管の後端側から外挿して、開口周りの壁部近傍まで移動させる。さらに、スリップワッシャを給水管の後端側から外挿して、フランジをパッキンに当接させる。
【００１０】
そして、ナットの雌ネジを給水管の雄ネジに螺合させる。これにより、ナットの先端がスリップワッシャの後端を壁部側に押圧し、スリップワッシャのフランジと給水管の係止部とがパッキンと開口周りの壁部とを挟持する。それにより、パッキンは、フランジに押圧されて、フランジと開口周りの壁部との間で圧縮変形し、内筒部の外周面に当接しつつ、開口周りの壁部と当接する。その結果、給水管とスリップワッシャとが固定されるとともに、パッキンが給水管、スリップワッシャ及び開口周りの壁部の相互間に密着して、漏水を防止する。こうして、従来の給水接続部材は、壁部の開口に封止固定されることが可能となっている。
【００１１】
【特許文献１】特開平１１−８１４２６号公報
【発明の開示】
【発明が解決しようとする課題】
【００１２】
しかし、上記従来の給水接続部材以上に、より確実に漏水を防止可能な給水接続部材が求められている。
【００１３】
本発明は、上記従来の実情に鑑みてなされたものであって、漏水をより確実に防止可能な給水接続部材を提供することを解決すべき課題としている。
【課題を解決するための手段】
【００１４】
本発明の給水接続部材は、壁部に形成された開口に対し、該壁部の一方から装着されて封止固定される給水接続部材であって、
軸方向に延びて前記開口内に挿入され得る筒状をなし、先端側が該開口内に位置し得る内筒部と、該内筒部より先端側で該開口より大きく拡がる係止部とをもつ給水管と、
該給水管を同軸状態で収納しつつ延びる筒状をなし、該開口より大きく拡がるフランジをもつ外筒管と、
該内筒部の外周側に設けられ、該フランジに押圧されて該開口周りの前記壁部と当接するパッキンと、
該給水管と該外筒管とを固定するとともに、該フランジを該壁部側に押圧する固定手段とを備え、
前記給水管と前記外筒管との間には両者を封止する封止手段が備えられていることを特徴とする。
【００１５】
このような構成である本発明の給水接続部材は、上記従来の給水接続管と同様、壁部の開口に封止固定される。こうして壁部に封止固定された本発明の給水接続部材は、給水管と外筒管との間に封止手段を備え、この封止手段が両者を封止する。
【００１６】
したがって、本発明の給水接続部材は、パッキンと封止手段とにより従来よりも確実に漏水を防止可能である。
【００１７】
固定手段としては、本発明の作用効果を奏するものであれば、どのようなものを採用してもかまわない。例えば、固定手段は、（１）給水管の後端側外周に形成された雄ネジと、その雄ネジに螺合する雌ネジが内周面に形成されたナットとからなるもの、（２）給水管の後端側外周で径方向に突出されたピンと、給水管の後端側外周と嵌り合う内周面をもち、ピンを軸方向に案内し、自己が周方向に回転されることによってピンによって抜け止めされるソケットとからなるもの、（３）給水管の後端側外周で径方向に凹設されたピン穴と、給水管の後端側外周と嵌り合う内周面をもち、ピン穴と整合するピンが螺合されたり打ち込まれたりことによって抜け止めされるソケットとからなるもの等を採用することができる。
【００１８】
パッキンとしては、本発明の作用効果を奏するものであれば、どのようなものを採用してもかまわない。例えば、矩形断面リング（一般的なゴムパッキン）、Ｏリング、Ｃ断面リング、金属及びゴム等からなる複合パッキン等を採用することができる。
【００１９】
上記特許文献１記載の給水接続部材では、１個のパッキンが給水管、スリップワッシャ及び開口周りの壁部の相互間に介在する構成であるため、給水管、スリップワッシャ及び開口周りの壁部に対するパッキンの相対位置がずれると、一部の箇所で密着が不十分となり易く、密着が不十分な箇所から漏水するおそれがある。また、この給水接続部材では、ナットが給水管とスリップワッシャとを固定する際、ナットの回転に伴ってパッキンに摩擦トルクが加わり易く、パッキンが捩られ易い。このため、パッキンに皺や破断等の損傷が生じ、給水管、スリップワッシャ又は開口周りの壁部の相互間に充分に密着することができなくなり、密着が不十分な箇所から漏水するおそれがある。そして、このような漏水を防止するため、作業者が給水管、スリップワッシャ及び開口周りの壁部に対するパッキンの相対位置を正しく位置決めし、かつパッキンを損傷させないように慎重にナットを螺合しようとすれば、作業性が損なわれてしまう。
【００２０】
このため、本発明の給水接続部材においては、パッキンは内筒部の外周面と当接しないものであり得る。この場合、パッキンは、外筒管のフランジと開口周りの壁部との間に介在するだけである。このため、この給水接続部材は、特許文献１記載の給水接続部材の場合と比較して、フランジ及び開口周りの壁部に対するパッキンの位置決めを容易に実施でき、パッキンの位置ずれによる漏水を生じ難い。また、この給水接続部材は、パッキンが内筒部の外周面と当接しないことから、固定手段が給水管と外筒管とを固定する際に、パッキンに摩擦トルクが加わったとしても、パッキンが捩られ難い。このため、パッキンに皺や破断等の損傷が生じ難く、密着性の低下による漏水も生じ難い。そして、この給水接続部材は、作業者が簡易な作業で漏水をより防止できることから、優れた作業性も発揮することができる。
【００２１】
封止手段としては、本発明の作用効果を奏するものであれば、どのようなものを採用してもかまわない。例えば、給水管の外周面及び外筒管の内周面の少なくとも一方に、ゴム等の弾性材料からなるＯリング、Ｃ断面リング、矩形断面リング（一般的なゴムパッキン）、金属及びゴム等からなる複合パッキン等の封止部材を配設して、他方に当接し得るようにしてもよい。また、Ｏリング等の封止部材は、複数個配設されていてもよい。
【００２２】
具体例として、封止手段は、外筒管の内周面に凹設されたシール溝と、シール溝に嵌合されて給水管の外周面と当接するＯリングとからなり得る。この場合、予めＯリングをシール溝に嵌め合わせておくことができ、装着作業時にも外れ難いので、作業を簡単に実施できる。また、この場合のＯリングは、外部に露出しないことから、開口に当たって損傷する事態が発生し得ない。このため、この給水接続部材は、本発明の作用効果を確実に奏することができる。
【００２３】
別の具体例として、封止手段は、給水管の外周面に凹設されたシール溝と、シール溝に嵌合されて外筒管の内周面と当接するＯリングとからなり得る。この場合も、予めＯリングをシール溝に嵌め合わせておくことができ、装着作業時にも外れ難いので、作業を簡単に実施できる。この場合、内筒部は、係止部に隣接し、外径が細い小径部と、小径部の後方で小径部より外径が太い大径部とを有し、大径部にシール溝が形成されていることが好ましい。このような構成であれば、係止部を壁部の一方から開口に挿入して、壁部の他方に通過させる際、大径部と小径部との段差が開口の内周縁に当接して止まるので、大径部に配設されたＯリングが開口に当たって損傷する事態が発生し難い。このため、この給水接続部材は、本発明の作用効果を確実に奏することができる。
【００２４】
本発明の給水接続部材において、給水管の後端側の内周面は、工具が係合可能な回り止め形状とされ得る。この場合、給水管の後端側の内周面に工具を係合させて給水管を回り止めした状態で、固定手段の装着作業を実施できるので、作業者がより簡単に装着作業を実施することができる。
【００２５】
本発明の給水接続部材において、外筒管の内周面後端には、外筒管が給水管に対して逆向きに外挿される場合に、給水管と干渉する突部が形成されていることが好ましい。この場合、給水管に対して逆向きに外筒管を装着することができなくなり、作業者が間違えることなく装着作業を実施することができる。突部としては、例えば、外筒管の後端から軸芯に向かって延在する内フランジや、１個又は複数個の突起等を採用することができる。
【００２６】
本発明の給水接続部材において、外筒管は、フランジより先端側で開口内に嵌合される嵌合部を有していることが好ましい。この場合、外筒管は、開口に対して位置決めされ、給水管も外筒管を介して開口に対して位置決めされることになるので、給水管が壁部の開口に対して傾倒し難くなる。このため、この給水接続部材は、本発明の作用効果を一層確実に奏することができる。嵌合部としては、例えば、軸方向に延在する筒状体又は複数個の突起等を採用することができる。
【００２７】
本発明の給水接続部材において、パッキンは嵌合部から抜け止めされていることが好ましい。この場合、予めパッキンを嵌合部に外挿し、フランジに当接させておくことができ、装着作業時にもパッキンが嵌合部から抜け落ちることがなくなるため、作業者が一層簡単に装着作業を実施することができる。パッキンが嵌合部から抜け止めされる具体的構成としては、例えば、嵌合部とフランジとの間に凹設されたパッキン用溝にパッキンの内周縁が嵌まり込む構成等を採用することができる。
【００２８】
本発明の給水接続部材において、固定手段は、給水管の後端側に形成された雄ネジと、雄ネジに螺合する雌ネジが内周面に形成されたナットとからなることが好ましい。この場合、固定手段は、雄ネジと雌ネジとによって、給水管と外筒管とを固定するとともに、フランジを壁部側に押圧することを簡単かつ確実に実施できる。このため、この給水接続部材は、本発明の作用効果を確実に奏することができる。
【発明を実施するための最良の形態】
【００２９】
以下、本発明を具体化した実施例１〜３を図面を参照しつつ説明する。なお、図２及び図３において、右斜め上方が先端側であり、左斜め下方が後端側である。また、図４、図５及び図７において、右方が先端側であり、左方が後端側である。
【実施例１】
【００３０】
図１に示すように、実施例１の給水接続部材１は、例えば、洋風水洗便器の便器本体９０に適用されるものである。便器本体９０には、前方の鉢面９３に上方から旋回状に水を供給する導水路９４と、後方の配管類収容空間９５とを区画する壁部９１が設けられている。そして、給水接続部材１は、図２〜図４に示すように、壁部９１に形成された円形の開口９２に対し、壁部９１の一方（配管類収容空間９５側）から装着されて封止固定されるものである。この給水接続部材１は、給水管１０と、外筒管２０と、パッキン３０と、固定手段４０と、封止手段５０とを備えている。
【００３１】
給水管１０は、軸Ｘ方向に延びて開口９２内に挿入され得る筒状をなす内筒部１１と、内筒部１１より先端側で開口９２より大きく拡がる係止部１２ａ、１２ｂとをもっている。係止部１２ａ、１２ｂは軸Ｘ方向に直交する面内において互いに遠ざかる方向に延びる２片であり、両係止部１２ａ、１２ｂで形成される略矩形は、長辺Ｌ１が開口９２の内径より長く、短辺Ｌ２が開口９２の内径より短くされている。
【００３２】
内筒部１１は、係止部１２ａ、１２ｂに隣接し、外径が細い小径部１１ａと、小径部１１ａの後方で小径部１１ａより外径が太い大径部１１ｂとを有している。大径部１１ｂにはシール溝１３ａ、１３ｂが２箇所に凹設され、各シール溝１３ａ、１３ｂには２個のＯリング１４ａ、１４ｂが嵌合されている。そして、内筒部１１の後端側の外周面には、後述するナット４１の雌ネジ４５と螺合する雄ネジ１５が形成され、さらにその後端側には、円筒状の接続部１６が形成されている。接続部１６には、給水ホース（図示しない）の先端が外挿固定される。
【００３３】
外筒管２０は、給水管１０を同軸状態で収納しつつ延びる筒状をなしており、先端側に開口９２より大きく拡がるフランジ２１をもっている。フランジ２１の先端側の端面は、開口９２周りの壁部９１に対面し得る平面とされている。また、外筒管２０の内周面２２は、上述のＯリング１４ａ、１４ｂが当接して隙間なく密着するように、平滑な円筒面とされている。さらに、外筒管２０の内周面２２の後端には、内フランジ状の突部２３が形成されている。突部２３の内径は、大径部１１ｂの外径より小さく、かつ雄ネジ１５の外径より大きくされている。
【００３４】
また、外筒管２０は、フランジ２１よりさらに先端側に円筒状に突出する嵌合部２４を有している。嵌合部２４の外径は、開口９２の内径より僅かに小さくされており、嵌合部２４が開口９２内に嵌合するようになっている。
【００３５】
シール溝１３ａ、１３ｂとＯリング１４ａ、１４ｂとにより、封止手段５０が構成されている。そして、外筒管２０が給水管１０を同軸状態で収納すれば、Ｏリング１４ａ、１４ｂが外筒管２０の内周面２２と当接して、給水管１０と外筒管２０との間を封止するようになっている。
【００３６】
パッキン３０は、１個の環状をなす弾性体であり、具体的には、ＥＰＤＭ等の一般的な弾性材料からなる矩形断面リングである。パッキン３０の外径はフランジ２１の外径と略同一とされ、パッキン３０の内径は嵌合部２４の外径と略同一とされている。このため、パッキン３０は、予め嵌合部２４に外挿しておくことが可能となっている。そして、外筒管２０が給水管１０を同軸状態で収納すれば、パッキン３０は、内筒部１１の外周側に位置することになるが、パッキン３０の内周面は内筒部１１の外周面に当接しないようになっている。
【００３７】
固定手段４０は、上述の雄ネジ１５と、雄ネジ１５に螺合する雌ネジ４５が内周面に形成されたナット４１とからなっている。そして、ナット４１の雌ネジ４５を雄ネジ１５に螺合させることにより、ナット４１の先端が外筒管２０の後端を先端側に押圧するようになっている。
【００３８】
このような構成である実施例１の給水接続部材１は、下記のようにして、開口９２に封止固定される。
【００３９】
予め、Ｏリング１４ａ、１４ｂを給水管１０のシール溝１３ａ、１３ｂに嵌合させるとともに、パッキン３０を嵌合部２４に外挿させてフランジ２１の先端側の端面に当接した状態にしておく。
【００４０】
そして、給水管１０を傾けた状態で、一方の係止部１２ａを壁部９１の一方（配管類収容空間９５側）から開口９２に挿入することにより、他方の係止部１２ｂを壁部９１の他方（導水路９４側）に通過させ、壁部９１に係止する。これにより、給水管１０は、内筒部１１の先端側が開口９２内に位置し、後端側が壁部９１の一方（配管類収容空間９５側）に延在する。
【００４１】
次に、外筒管２０を給水管１０の後端側から外挿して、給水管１０を同軸状態で収納した状態にするとともに、嵌合部２４を開口９２内に嵌合させる。その結果、パッキン３０は、フランジ２１と開口９２周りの壁部９１との間に位置することとなる。この際、外筒管２０が給水管１０に対して逆向きに外挿されれば、突部２３が給水管１０の大径部１１ｂと干渉して、外筒管２０をそれ以上外挿できない。
【００４２】
そして、ナット４１の雌ネジ４５を給水管１０の雄ネジ１５に螺合させる。これにより、ナット４１の先端が外筒管２０の後端を壁部９１側に押圧し、外筒管２０のフランジ２１と給水管１０の係止部１２ａ、１２ｂとがパッキン３０と開口９２周りの壁部９１とを挟持する。それにより、パッキン３０は、フランジ２１に押圧されて、フランジ２１と開口９２周りの壁部９１との間で圧縮変形し、開口９２周りの壁部９１と当接する。その結果、図４に示すように、給水管１０と外筒管２０とが固定されるとともに、パッキン３０が外筒管２０のフランジ２１と開口９２周りの壁部９１との間に密着して、漏水を防止する。また、給水管１０と外筒管２０との間は、Ｏリング１４ａ、１４ｂが外筒管２０の内周面２２に隙間なく密着して、漏水を防止する。こうして、実施例１の給水接続部材１は、壁部９１の開口９２に封止固定されることが可能となっている。
【００４３】
したがって、実施例１の給水接続部材１は、パッキン３０と封止手段５０とにより従来よりも確実に漏水を防止可能となっている。
【００４４】
また、この給水接続部材１において、パッキン３０は内筒部１１の外周面と当接せず、外筒管２０のフランジ２１と開口９２周りの壁部９１との間に介在するだけである。このため、この給水接続部材１は、特許文献１記載の給水接続部材の場合と比較して、フランジ２１及び開口９２周りの壁部９１に対するパッキン３０の位置決めを容易に実施でき、パッキン３０の位置ずれによる漏水を生じ難い。また、この給水接続部材１は、パッキン３０が内筒部１１の外周面と当接しないことから、固定手段４０が給水管１０と外筒管２０とを固定する際に、パッキン３０に摩擦トルクが加わったとしても、パッキン３０が捩られ難い。このため、パッキン３０に皺や破断等の損傷が生じ難く、密着性の低下による漏水も生じ難い。そして、この給水接続部材１は、作業者が簡易な作業で漏水をより防止できることから、優れた作業性も発揮することができる。
【００４５】
さらに、この給水接続部材１において、封止手段５０は、給水管１０の外周面に凹設されたシール溝１３ａ、１３ｂと、シール溝１３ａ、１３ｂに嵌合されて外筒管２０の内周面２２と当接するＯリング１４ａ、１４ｂとからなっている。このため、予めＯリング１４ａ、１４ｂをシール溝１３ａ、１３ｂに嵌め合わせておくことができ、装着作業時にも外れ難いので、作業を簡単に実施できる。
【００４６】
また、この給水接続部材１において、内筒部１１は、係止部１２ａ、１２ｂに隣接し、外径が細い小径部１１ａと、小径部１１ａの後方で小径部１１ａより外径が太い大径部１１ｂとを有し、大径部１１ｂにシール溝１３ａ、１３ｂが形成されている。このため、係止部１２ａ、１２ｂを壁部９１の一方から開口９２に挿入して、壁部９１の他方に通過させる際、大径部１１ｂと小径部１１ａとの段差が開口９２の内周縁に当接して止まるので、大径部１１ｂに配設されたＯリング１４ａ、１４ｂが開口９２に当たって損傷する事態が発生し難い。このため、この給水接続部材１は、本発明の作用効果を確実に奏することができる。
【００４７】
また、この給水接続部材１において、外筒管２０の内周面２２の後端には、突部２３が形成されていることから、給水管１０に対して逆向きに外筒管２０を装着することができなくなっており、作業者が間違えることなく装着作業を実施することが可能となっている。
【００４８】
さらに、この給水接続部材１において、外筒管２０は、フランジ２１より先端側で開口９２内に嵌合される嵌合部２４を有している。このため、外筒管２０は、開口９２に対して位置決めされ、給水管１０も外筒管２０を介して開口９２に対して位置決めされることになり、その結果、給水管１０が壁部９１の開口９２に対して傾倒し難くなっている。このため、この給水接続部材１は、本発明の作用効果を一層確実に奏することができている。
【００４９】
また、この給水接続部材１において、固定手段４０は、雄ネジ１５と、雌ネジ４５が内周面に形成されたナット４１とからなっていることから、給水管１０と外筒管２０とを固定するとともに、フランジ２１を壁部９１側に押圧することを簡単かつ確実に実施可能となっている。このため、この給水接続部材１は、本発明の作用効果を確実に奏することができる。
【実施例２】
【００５０】
図５に示すように、実施例２の給水接続部材２は、内筒部１１の内周面後端側に工具係止孔１０ａが形成されている。また、嵌合部２４とフランジ２１との間に形成されたパッキン用溝２４ａにより、パッキン２３０が抜け止めされている。これらの点が実施例１の給水接続部材１と異なる。その他の構成は、実施例１の給水接続部材１と同様である。よって、実施例２では、工具係止孔１０ａ、パッキン用溝２４ａ及びパッキン２３０を中心に説明し、その他の構成については、実施例１と同一の符号を付して、説明を簡略又は省略する。
【００５１】
内筒部１１の後端側の内周面には、図６に示すように、六角形の断面形状とされた工具係止孔１０ａが形成されている。工具係止孔１０ａには、六角レンチ等の一般的な工具が係止可能となっている。
【００５２】
図５に示すように、嵌合部２４とフランジ２１との間には、嵌合部２４よりも外径が小さくされたパッキン用溝２４ａが凹設されている。そして、パッキン２３０は、実施例１のパッキン３０よりも内周縁の内径が小さく、パッキン用溝２４ａの外径と略同一とされており、パッキン２３０の内周縁がパッキン用溝２４ａに嵌まり込むようになっている。
【００５３】
このような構成である実施例２の給水接続部材２も、実施例１の給水接続部材１と同様の作用効果を奏することができている。
【００５４】
また、この給水接続部材２において、給水管１０の後端側の内周面は、工具係止孔１０ａにより工具が係合可能な回り止め形状とされている。このため、工具係止孔１０ａに工具を係合させて給水管１０を回り止めした状態で、固定手段４０の装着作業を実施できるので、作業者がより簡単に装着作業を実施することが可能となっている。
【００５５】
さらに、この給水接続部材２において、パッキン２３０はパッキン用溝２４ａにより嵌合部２４から抜け止めされている。このため、予めパッキン３０を嵌合部２４に外挿し、フランジ２１に当接させておくことができ、装着作業時にもパッキン２３０が嵌合部２４から抜け落ちることがなくなっているため、作業者が一層簡単に装着作業を実施することが可能となっている。
【００５６】
なお、図５に示すように、ナット４１の先端に外フランジ４１ａを形成し、外筒管２０の後端に外フランジ２０ａを形成して、双方の当接する面積を増加させてもよい。こうすれば、給水管１０と外筒管２０とをより確実に固定することができる。
【実施例３】
【００５７】
図７に示すように、実施例３の給水接続部材３は、封止手段３５０が外筒管３２０の内周面３２２に凹設されたシール溝３１３ａ、３１３ｂと、シール溝３１３ａ、３１３ｂに嵌合されるＯリング３１４ａ、３１４ｂとからなっている。この点が実施例１の給水接続部材１と異なる。その他の構成は、実施例１の給水接続部材１と同様である。よって、実施例３では、給水管３１０、外筒管３２０及び封止手段３５０を中心に説明し、その他の構成については、実施例１と同一の符号を付して、説明を簡略又は省略する。
【００５８】
給水接続部材３は、給水管３１０と、外筒管３２０と、パッキン３０と、固定手段４０と、封止手段３５０とを備えている。
【００５９】
給水管３１０は、軸Ｘ方向に延びて開口９２内に挿入され得る筒状をなす内筒部３１１と、内筒部３１１より先端側で開口９２より大きく拡がる係止部１２ａ、１２ｂとをもっている。
【００６０】
内筒部３１１の外周面３１２は、後述するＯリング３１４ａ、３１４ｂが当接して隙間なく密着するように、平滑な円筒面とされている。そして、内筒部３１１の後端側の外周面には、ナット４１の雌ネジ４５と螺合する雄ネジ１５が形成され、さらにその後端側には、円筒状の接続部１６が形成されている。接続部１６には、給水ホース（図示しない）の先端が外挿固定される。
【００６１】
外筒管３２０は、給水管３１０を同軸状態で収納しつつ延びる筒状をなしており、先端側に開口９２より大きく拡がるフランジ３２１をもっている。フランジ３２１の先端側の端面は、開口９２周りの壁部９１に対面し得る平面とされている。また、外筒管３２０の内周面３２２には、シール溝３１３ａ、３１３ｂが２箇所に凹設され、各シール溝３１３ａ、３１３ｂには２個のＯリング３１４ａ、３１４ｂが嵌合されている。さらに、外筒管３２０の内周面３２２の後端には、内フランジ状の突部２３が形成されている。
【００６２】
また、外筒管３２０は、フランジ３２１よりさらに先端側に円筒状に突出する嵌合部３２４を有している。嵌合部３２４の外径は、開口９２の内径より僅かに小さくされており、嵌合部３２４が開口９２内に嵌合するようになっている。
【００６３】
シール溝３１３ａ、３１３ｂとＯリング３１４ａ、３１４ｂとにより、封止手段３５０が構成されている。そして、外筒管３２０が給水管３１０を同軸状態で収納すれば、Ｏリング３１４ａ、３１４ｂが給水管３１０の外周面３１２と当接して、給水管３１０と外筒管３２０との間を封止するようになっている。
【００６４】
このような構成である実施例３の給水接続部材３も、実施例１の給水接続部材１と同様の作用効果を奏することができている。
【００６５】
また、この給水接続部材３において、封止手段３５０は、外筒管３２０の内周面３２２に凹設されたシール溝３１３ａ、３１３ｂと、シール溝３１３ａ、３１３ｂに嵌合されて給水管３２０の外周面３１２と当接するＯリング３１４ａ、３１４ｂとからなっている。このため、予めＯリング３１４ａ、３１４ｂをシール溝３１３ａ、３１３ｂに嵌め合わせておくことができ、装着作業時にも外れ難いので、作業を簡単に実施できる。また、この場合のＯリング３１４ａ、３１４ｂは、外部に露出しないことから、開口９２に当たって損傷する事態が発生し得ない。このため、この給水接続部材３は、本発明の作用効果を確実に奏することができる。
【００６６】
以上において、本発明を実施例１〜３に即して説明したが、本発明は上記実施例１〜３に制限されるものではなく、その趣旨を逸脱しない範囲で適宜変更して適用できることはいうまでもない。
【産業上の利用可能性】
【００６７】
本発明は洋風水洗式便器等の給水を利用する設備に利用可能である。
【図面の簡単な説明】
【００６８】
【図１】実施例１の給水接続部材が適用される洋風水洗便器の斜視図（部分断面図）である。
【図２】実施例１の給水接続部材の斜視図である。
【図３】実施例１の給水接続部材の分解斜視図である。
【図４】実施例１の給水接続部材の断面図である。
【図５】実施例２の給水接続部材の断面図である。
【図６】実施例２の給水接続部材に係り、図５のＶＩ−ＶＩ断面を示す断面図である。
【図７】実施例３の給水接続部材の断面図である。
【符号の説明】
【００６９】
１、２、３…給水接続部材
１０、３１０…給水管
１０ａ…工具係止孔
１１、３１１…内筒部
１１ａ…小径部
１１ｂ…大径部
１２ａ、１２ｂ…係止部
１３ａ、１３ｂ、３１３ａ、３１３ｂ…シール溝
１４ａ、１４ｂ、３１４ａ、３１４ｂ…Ｏリング
１５…雄ネジ
２０、３２０…外筒管
２１、３２１…フランジ
２２、３２２…外筒管の内周面
２３…突部
２４、３２４…嵌合部
２４ａ…パッキン用溝
３０、２３０…パッキン
４０…固定手段
４１…ナット
４５…雌ネジ
５０、３５０…封止手段
９１…壁部
９２…開口
３１２…給水管の外周面
Ｘ…軸
【図１】
2008144454.tif 000003
【図２】
2008144454.tif 000004
【図３】
2008144454.tif 000005
【図４】
2008144454.tif 000006
【図５】
2008144454.tif 000007
【図６】
2008144454.tif 000008
【図７】
2008144454.tif 000009